(57)【特許請求の範囲】
【請求項１】
第１駆動部と、前記第１駆動部から延長される滑走台と、前記第１駆動部の動力を受けて前記滑走台に沿って前進または後進に直線運動し、かつ、洗浄水を供給する流入部を含む移動体と、前記移動体の一端に位置する第２駆動部と、前記滑走台の上部に滑走台と平行な方向に沿って位置しながら、両端のうちの一方には前記移動体の他端が位置するようになるシリンダを含むシリンダ部と、前記両端のうちの他方に位置して前記直線運動方向を回転軸として前記第２駆動部から動力を受けて回転するノズル部材と、を含み、
前記移動体の内部には、他端に前記シリンダの一端が結合されるシリンダキャップを結合構成し、
前記シリンダキャップは、前記シリンダキャップを覆う複数個の環状シーリング部材を含み、
前記環状シーリング部材は、前記移動体の内側面に位置するように構成され、
前記移動体と前記シリンダキャップの内部に位置しながら前記第２駆動部に一端が連結され、かつ、前記シリンダキャップに連結され、かつ、前記第２駆動部の駆動による動力を受けて前記シリンダキャップ、前記シリンダ、および、前記シリンダの他端に位置する前記ノズル部材を回転させるシリンダシャフトをさらに含んで構成することを特徴とする、温水洗浄装置の回転型ノズルアセンブリ。
【請求項２】
前記流入部は、前記温水洗浄装置周辺に存在する水道栓から流入された水を前記シリンダ部に供給することを特徴とする、請求項１に記載の温水洗浄装置の回転型ノズルアセンブリ。
【請求項３】
前記ノズル部材は、洗浄水の噴射水流を変更するために離隔した互いに異なる複数個のノズルチップを有し、
前記複数個のノズルチップは、前記ノズル部材の円柱に沿って円形をなして配列されることを特徴とする、請求項１に記載の温水洗浄装置の回転型ノズルアセンブリ。
【請求項４】
離隔した互いに異なる複数個のノズルチップのうちのいずれか１つのノズルチップは円形状を有し、その円形状内には洗浄水を直水状の水流で噴射する１つの円形吐出口を形成することを特徴とする、請求項３に記載の温水洗浄装置の回転型ノズルアセンブリ。
【請求項５】
離隔した互いに異なる複数個のノズルチップのうちのいずれか１つのノズルチップは円形状または角形状を有し、その円形状または角形状内には洗浄水を複数の水の流れで噴霧する複数の円形または角形の吐出口を形成することを特徴とする、請求項３に記載の温水洗浄装置の回転型ノズルアセンブリ。
【請求項６】
離隔した互いに異なる複数個のノズルチップのうちのいずれか１つのノズルチップは矩形状を有し、その矩形状内には洗浄水を直線状の水流で噴射する直線吐出口を形成することを特徴とする、請求項３に記載の温水洗浄装置の回転型ノズルアセンブリ。
【請求項７】
前記滑走台に固定され、前記ノズル部材を覆うノズル洗浄部をさらに含むことを特徴とする、請求項３に記載の温水洗浄装置の回転型ノズルアセンブリ。
【請求項８】
前記ノズル洗浄部は、前記ノズル部材が回転することによって、前記ノズル洗浄部に隣接する前記複数個のノズルチップを洗浄することを特徴とする、請求項７に記載の温水洗浄装置の回転型ノズルアセンブリ。
【請求項９】
前記シリンダ部は、シリンダカバーをさらに含み、
前記シリンダカバーは前記シリンダの外周面に結合構成することを特徴とする、請求項１に記載の温水洗浄装置の回転型ノズルアセンブリ。
【請求項１０】
前記ノズル部材は、ノズルチップを有し、
前記シリンダカバーは、前記ノズルチップに対応する噴射口を形成することを特徴とする、請求項９に記載の温水洗浄装置の回転型ノズルアセンブリ。
【請求項１１】
前記環状シーリング部材は、Ｘ型断面を有するリングタイプであることを特徴とする、請求項１に記載の温水洗浄装置の回転型ノズルアセンブリ。
【発明の詳細な説明】
【技術分野】
【０００１】
本発明は、温水洗浄装置のノズルアセンブリに関し、より詳しくは、局部の洗浄を目的とする温水洗浄装置のノズルアセンブリに回転体を備えて使用者に水流の多様性を提供し、迅速に他の水流への切替を可能としながら、肛門や局部とその周辺部に対する洗浄効果を極大化させ、ノズルアセンブリに対する洗浄の効率性を高めてノズルアセンブリを常に清潔に維持する温水洗浄装置の回転型ノズルアセンブリ及びその回転制御方法に関する。
【背景技術】
【０００２】
一般に温水洗浄装置は、宿泊施設や一般家庭におけるトイレの便器上に位置して便座装置として広く用いられる。この温水洗浄装置は、用便後にノズルアセンブリを介して使用者の肛門及び／またはその周辺に温水を噴射させて清潔に洗浄できるように構成されている。この場合、前記ノズルアセンブリは、特許文献１（公開日２０１１年１２月１４日）に公開しているように、互いに結合する流量調節バルブ、シリンダ、及びノズルチップを有する。このシリンダは、流量調節バルブから洗浄水を導入してノズルチップに伝達する。
【０００３】
そして、前記ノズルアセンブリは、温水洗浄装置を使用する際、前方に直線移動しながらノズルチップと噴射口を介して使用者の肛門や局部とその周辺部に、洗浄水が固定した形態の水流を噴射して洗浄し、温水洗浄装置を使用しない際には、元の位置に復帰する直線移動の作動方式を有するものである。
【０００４】
しかしながら、従来温水洗浄装置のノズルアセンブリは、多様な水流を実現させるために同じ方向に洗浄吐水口を有する方式を用いるので、ノズルの大きさと長さに制約が多く、他の水流への切替時に吐水口の位置が異なるためノズルの伸長長さも変更する作動構造を有している。
【０００５】
例えば、今までの温水洗浄装置の吐出口は、特許文献２のように、洗浄水が単一方向及び単一噴射量に出水するノズルであって、ノズルシリンダ自体が前後にのみ動作する形態を有している。
【０００６】
一方、従来のノズルアセンブリは、直線移動のみを行うので、肛門や局部とその周辺部に対する洗浄の後に、ノズルアセンブリの洗浄ノズルを、洗浄ノズルを介して洗浄する際、洗浄ノズルから噴射する洗浄水が洗浄ノズルのある一面だけに噴射され、洗浄ノズルの外周面全体に対する洗浄が困難であり、そのために従来には洗浄ノズルを覆う形で複数の洗浄ノズルを設けなければならないが、このような方式では製品に対する製造コストを増加させる問題が発生し得る。
【先行技術文献】
【特許文献】
【０００７】
【特許文献１】韓国実用新案公開公報第２０−２０１１−００１１５０７号
【特許文献２】韓国特許公開公報第１０−２０１０−００６１９８０号
【発明の概要】
【発明が解決しようとする課題】
【０００８】
本発明が解決しようとする課題は、局部の洗浄を目的とする温水洗浄装置のノズルアセンブリに回転体を備えて使用者に水流の多様性を提供し、かつ迅速に他の水流への切替が可能な、温水洗浄装置の回転型ノズルアセンブリを提供することにある。
【０００９】
本発明が解決しようとする課題は、温水洗浄装置のノズルアセンブリに回転体を備えて１つのノズルにそれぞれ他の噴射方向と噴射量を有する吐水口を設けて、それぞれの水流に切替時に、吐水口の位置が回転するようにしてノズルの伸長は変動せず、容易に水流を変換できるようにしながら肛門や局部とその周辺部に対する洗浄効果を極大化し、洗浄ノズルを介して洗浄を行う際に洗浄水が洗浄ノズルの外周面全体に噴射できるようにしながら洗浄の効率性を高めて洗浄ノズルを常に清潔に維持できるようにする温水洗浄装置の回転型ノズルアセンブリを提供することにある。
【００１０】
本発明が解決しようとする多様な課題は、上記に言及した課題に限定されず、言及しない他の課題も下記の記載で当業者がより明確に理解することができる。
【課題を解決するための手段】
【００１１】
本発明の技術的思想の一実施形態に係る温水洗浄装置の回転型ノズルアセンブリは、第１駆動部と、前記第１駆動部から延長される滑走台と、前記第１駆動部の動力を受けて前記滑走台に沿って前進または後進に直線運動する移動体と、前記移動体の一端に位置する第２駆動部と、前記滑走台の上部に滑走台と平行な方向に沿って位置しながら一端及び他端を有するシリンダ部と、前記シリンダ部の一端には前記移動体の他端が位置し、及び前記シリンダ部の他端に位置し、前記直線運動方向を回転軸として前記第２駆動部から動力を受けて回転するノズル部材と、を含み、前記移動体と前記シリンダ部との間にはシリンダキャップが結合構成されている。
【００１２】
前記移動体は、洗浄水を供給する流入部を含み、前記流入部は、前記温水洗浄装置周辺に存在する水道栓から流入した水を前記シリンダ部に供給することができる。
【００１３】
前記ノズル部材は、洗浄水の噴射水流を変更するための離隔された互いに異なる複数個のノズルチップを有することができる。前記離隔した互いに異なる複数個のノズルチップはそれぞれ互いに異なる形態の吐出口を有することができる。前記離隔した互いに異なる複数個のノズルチップは、前記ノズル部材の円柱に沿って円形をなして配列され得る。
【００１４】
前記複数個のノズルチップのいずれか１つは円形状を有し、その円形状内には、洗浄水を直水状の水流で噴射する１つの円形吐出口を形成することができる。
【００１５】
前記複数個のノズルチップのうちの他の１つは円形状または角形状を有し、この円形状または角形状内には洗浄水を複数の水の流れで噴霧する、シュガー（ＳＵＧＡＲ）状の水流で噴射する、複数の円形または角形の吐出口を形成することができる。
【００１６】
前記複数個のノズルチップのうちの他の１つは矩形状を有し、この矩形状内には洗浄水を直線状の水流で噴射する直線吐出口を形成することができる。
【００１７】
前記シリンダ部は、一端と他端を有するシリンダと、前記シリンダの外周面に結合するシリンダカバーと、前記シリンダキャップ内部に位置して前記第２駆動部から動力を受けて前記ノズル部材を回転させるシリンダシャフトと、を含むことができる。
【００１８】
前記シリンダカバーは、前記ノズルチップに対応する噴射口を形成することができる。
【００１９】
本発明の技術的思想の一実施形態に係る温水洗浄装置の回転型ノズルアセンブリは、前記シリンダキャップを覆う複数個の環状シーリング部材をさらに含み、前記環状シーリング部材は前記移動体の内側面に位置することができる。
【００２０】
前記シーリング部材は、Ｘ型断面を有するリングタイプであってもよい。
【００２１】
本発明の技術的思想の一実施形態に係る温水洗浄装置の回転型ノズルアセンブリは、前記滑走台に固定され、前記ノズル部材を覆うノズル洗浄部をさらに含むことができる。
【００２２】
前記ノズル洗浄部は、前記ノズル部材を回転することで、前記ノズル洗浄部に隣接する前記複数個のノズルチップを満遍なく洗浄することができる。
【００２３】
本発明の技術的思想の一実施形態に係る温水洗浄装置の回転型ノズルアセンブリに対する回転制御方法は、（ａ）温水洗浄装置の洗浄ボタンを介して洗浄水の噴射水流モードを選択する段階と、（ｂ）前記（ａ）段階から噴射水流モードを選択し、そのモードに該当するノズルチップが上方向に向かうようにノズル部材を左右方向に所定角度回転させる段階と、（ｃ）前記（ｂ）段階から左右方向に回転するノズル部材を第１駆動部の駆動を介して前進方向に直線移動させる段階と、（ｄ）流量が調節された洗浄水を前記ノズル部材の先端側に供給し、ノズル部材の先端側に設けられたノズルチップ及び吐出口を介して肛門や局部とその周辺部に選択された噴射水流で洗浄水を噴射する段階と、を含んで行うことができる。
【００２４】
前記洗浄水の噴射水流モードは、洗浄水を直線に噴射する基準モードと、洗浄水を直水で噴射する第１モード及び洗浄水を複数の水の流れで噴霧する、シュガー状の水流で噴射する第２モードを含むことができる。
【００２５】
前記基準モードは、シリンダ部の先端側に設けられたノズルチップの直線吐出口を介して洗浄水を直線状の水流で噴射するモードであってもよい。
【００２６】
前記第１モードは、シリンダ部を前記基準モードに基づいて１４２度の設定角度で回転させて、前記シリンダ部の異なった位置先端側に設けられるノズルチップの円形吐出口を介して洗浄水を直水状の水流で噴射するモードであってもよい。
【００２７】
前記第２モードは、シリンダ部を前記基準モードに基づいて２６２度の設定角度で回転させて、前記シリンダ部のまた異なった位置先端側に設けられるノズルチップで複数の円形または角形の吐出口を介して洗浄水を複数の水の流れで噴霧する、シュガー状の水流で噴射するモードであってもよい。
【００２８】
その他の実施形態の具体的な事項は詳細な説明及び図面に含まれている。
【発明の効果】
【００２９】
本発明の技術的思想による一実施形態として回転型ノズルアセンブリを備えた温水洗浄装置は、ノズルに多様な水流を適用して提供することができる。
【００３０】
また本発明の技術的思想による一実施形態として回転型ノズルアセンブリを備えた温水洗浄装置は、ノズルの回転を用いて迅速に水流を切り替えることができる。
【００３１】
また本発明の技術的思想による一実施形態として回転型ノズルアセンブリを備えた温水洗浄装置は、回転動力を用いてノズルを洗浄できるので、従来の固定式洗浄よりも清潔さをさらに維持することができる。
【図面の簡単な説明】
【００３２】
【図１】本発明の実施形態に係る温水洗浄装置内のノズルアセンブリを示す斜視図である。
【図２】図１のノズルアセンブリの「Ａ」部分に対する分解図である。
【図３】本発明に係る温水洗浄装置のノズルアセンブリを示すための断面図である。
【図４】図３の「Ｂ」部分に対する拡大断面図である。
【図５】図４の「Ｃ」部分に対する拡大断面図である。
【図６】本発明の実施形態に係るシーリング部材及びその断面図である。
【図７】本発明の実施形態に係るノズルチップの拡大図である。
【図８】本発明の実施形態に係るノズルチップの基準モード状態図である。
【図９】本発明の実施形態に係るノズルチップが第１モードで回転した状態図である。
【図１０】本発明の実施形態に係るノズルチップが第２モードで回転する状態図である。
【図１１】本発明の実施形態に係る基準モードにおけるノズルチップと吐出口の構造を示す図である。
【図１２】本発明の実施形態に係る第１モードにおけるノズルチップと吐出口の構造を示す図である。
【図１３】本発明の実施形態に係る第２モードにおけるノズルチップと吐出口の構造を示す図である。
【図１４】本発明の実施形態に係る回転型ノズルアセンブリの給水供給フローチャートである。
【図１５】本発明の実施形態に係るノズルアセンブリの回転制御フローチャートである。
【発明を実施するための形態】
【００３３】
本発明の利点及び特徴、そしてそれらを達成する方法は、添付された図面とともに詳細に後述する実施形態を参照することで明確となる。しかし、本発明は以下に開示された実施形態に限定されず、互いに異なった多様な形態で実現されてもよく、さらに本実施形態は本発明の開示が完全で、本発明が属する技術分野で通常の知識を有する者に発明の範疇を完全に開示するために提供されることであり、本発明は請求の範囲により定義され得る。
【００３４】
本明細書で用いる用語は、実施形態を説明するためのものであって、本発明を限定しようとするものではない。本明細書において、単数記載は特に言及しない限り複数記載も含む。
【００３５】
さらに、本明細書に記述の実施形態は、本発明の理想的な例示図である、分解図、斜視図、断面図及び／または平面図を参考しながら説明される。図において、領域の大きさや厚さは技術内容の効果的な説明のために誇張され得る。よって、製造技術及び／または許容誤差などで例示図の形態が変形され得る。従って、本発明の実施形態は、図示された特定形態に限定されず、製造工程により生成される形態の変化も含むものである。例えば、直角に示された直角領域はラウンドを有するか、または所定曲率を有する形態であってもよい。よって、図に例示された領域は概略的な属性を有し、図に例示された領域の形状は構成部分及び／または領域の特定形態を例示するためのものであって、発明の範疇を限定するためのものではない。
【００３６】
明細書の全般にかけて同一参照符号は同一構成要素を指称する。よって、同一参照符号または類似な参照符号は該当図面で言及または説明されなくても、他の図面を参照して説明され得る。また、参照符号が表示されなくても、他の図面を参照して説明され得る。
【００３７】
以下に添付図面を参照しながら、本発明に係る好適な実施形態について詳細に説明する。
【００３８】
本発明の説明において定義される用語は本発明における機能を考慮して定義されたものであり、本発明の技術的構成要素を限定する意味として理解してはいけない。
【００３９】
図１に示すように、本発明の実施形態に係るノズルアセンブリ８８は温水洗浄装置９０に備えられる。前記ノズルアセンブリ８８は、温水洗浄装置９０の内部において、操作部１０とシリンダ部２０及びノズル部材３０を含む。前記操作部１０は、シリンダ部２０の一端及び他端との間に位置してシリンダ部２０を支持する。前記シリンダ部２０は、温水洗浄装置９０で一方向に沿って位置され、一端及び他端を有する。前記操作部１０は、第１駆動部１１、第２駆動部１０Ａ、第１モータ１０Ｂ、滑走台１０Ｃとノズル洗浄部１０Ｄを含む。
【００４０】
前記第１モータ１０Ｂは、温水洗浄装置９０の制御部８２を介して第１駆動部１１及び歯車を駆動させ、前記滑走台１０Ｃは前記第１駆動部１１を介して温水洗浄装置９０で一方向に沿って移動するシリンダ部２０をガイドする。前記ノズル洗浄部１０Ｄは、第２駆動部１０Ａの反対側で滑走台１０Ｃに固定され、ノズル部材３０を覆う。
【００４１】
より詳しくは、本発明の技術的思想に係る一実施形態として、温水洗浄装置９０の回転型ノズルアセンブリ８８は、第１駆動部１１と、前記第１駆動部１１から延長される滑走台１０Ｃと、前記第１駆動部１１の動力を受けて前記滑走台１０Ｃに沿って前進または後進に直線運動する移動体２２と、前記移動体２２の一端に位置する第２駆動部１０Ａと、前記滑走台１０Ｃの上部で滑走台と平行な方向に沿って位置され、一端及び他端を有するシリンダ部２０とを含む。前記シリンダ部２０の一端には、前記移動体２２の他端が位置してもよい。また、前記回転型ノズルアセンブリ８８は、前記シリンダ部２０の他端に位置し、前記直線運動方向を回転軸として左右方向に回転するノズル部材３０を含むことができ、前記ノズル部材３０は前記第２駆動部１０Ａから動力を受けて回転することができる。
【００４２】
前記移動体２２は、前記シリンダ部２０に含まれるシリンダ内部に洗浄水を供給する洗浄水流入部２１を含む。前記シリンダ部２０は、前記洗浄水流入部２１から洗浄水を流入してシリンダを介して洗浄水をノズル部材３０に供給する。前記操作部１０は、前記滑走台１０Ｃに固定され、前記ノズル部材３０を覆うノズル洗浄部１０Ｄをさらに含むことができる。前記ノズル洗浄部１０Ｄは、前記ノズル部材３０が回転するによって前記ノズル洗浄部１０Ｄに隣接するノズルチップを洗浄することができる。
【００４３】
図２に示すように、前記シリンダ部２０は、一端と他端を有するシリンダ２４と、前記シリンダ２４とノズル部材３０を覆うシリンダカバー２３と、前記シリンダ２４の一端と前記移動体２２の他端との間を結着するシリンダキャップ２５を含む。前記シリンダ２４の他端にはノズル部材３０が位置する。また前記シリンダ部２０は、前記シリンダキャップ２５内部に位置し、前記第２駆動部１０Ａから動力を受けて前記ノズル部材３０を回転させるシリンダシャフト２６をさらに含み、前記シリンダキャップ２５を覆う複数個の環状シーリング部材２７をさらに含むことができる。
【００４４】
添付の図７ないし図１０に示すように、前記ノズル部材３０は、洗浄水の噴射水流を変更するために離隔した互いに異なる複数個のノズルチップＴ１、Ｔ２、Ｔ３を有することができる。前記離隔した互いに異なる複数個のノズルチップＴ１、Ｔ２、Ｔ３は、それぞれ互いに異なる形態の吐出口ｔ１、ｔ２、ｔ３を有することができて多様な噴射形態及び／または噴射量の洗浄水を提供することができる。前記離隔した互いに異なる複数個のノズルチップＴ１、Ｔ２、Ｔ３は、前記ノズル部材３０の円柱に沿って円形をなして配列され得る。
【００４５】
このとき、前記シリンダ２４の外周面に結合される前記シリンダカバー２３は、前記ノズルチップＴ１、Ｔ２、Ｔ３に対応する噴射口Ｔ１１、Ｔ１２、Ｔ１３を形成したものであって、前記離隔した互いに異なる複数個のノズルチップＴ１、Ｔ２、Ｔ３は一定間隔を置いて３つに分割構成するものとして説明したが、必ずしもこのような個数に限定されない。
【００４６】
添付の図１１に示すように、１つのノズルチップＴ３は矩形状を有し、その矩形状内には洗浄水を直線状の水流で噴射する直線吐出口ｔ３が形成されたものである。
【００４７】
添付の図１２に示すように、他の１つのノズルチップＴ１は円形状を有し、その円形状の内には洗浄水を直水状の水流で噴射する１つの円形吐出口ｔ１が形成されるようにした。
【００４８】
添付の図１３に示すように、また他の１つのノズルチップＴ２は円形状または角形状を有し、その円形状または角形状内には洗浄水を複数の水の流れで噴霧する、シュガー（ＳＵＧＡＲ）状の水流で噴射する複数の円形または角形の吐出口ｔ２が形成されるようにした。
【００４９】
図３に示すように、本発明の温水洗浄装置９０のノズルアセンブリ８８は、ノズル部材３０の伸長を制御する第１駆動部１１及びノズル部材３０の回転を制御する第２駆動部１０Ａを有する。第１駆動部１１は、ノズル部材３０の前後駆動のための動力を制御する第１モータ１０Ｂが結合されていて、第１モータ１０Ｂに結合された歯車部２９がノズル部材３０の前後駆動を動作させる。
【００５０】
第２駆動部１０Ａは回転動力を伝達する第２モータ１２を有する。ノズル部材３０の回転を制御する第２モータ１２は、第１駆動部１１から発生する動力でノズル部材３０の前後駆動を支援する移動体２２の一端に固定される。
【００５１】
移動体２２の他端内側には、第２モータ１２の回転動力がシリンダ２４に伝達できるようにシリンダシャフト２６が連結されている。シリンダシャフト２６を覆うシリンダキャップ２５は、シリンダシャフト２６とともに回転することができる。シリンダキャップ２５と移動体２２の内側面との間にはシーリング部材２７が位置して漏水を防止する。シリンダシャフト２６から回転動力を受け継いでシリンダ２４及びノズルチップＴ１、Ｔ２、Ｔ３が回転し、前記ノズルチップＴ１、Ｔ２、Ｔ３の多様な吐出口ｔ１、ｔ２、ｔ３の形態により吐水形態が決定される。
【００５２】
図４は、図３の「Ｂ」領域に対する詳細断面図であり、図５は、図４の「Ｃ」領域に対する詳細断面図である。図４及び図５に示すように、本発明の技術的思想の一実施形態に係る温水洗浄装置９０の回転型ノズルアセンブリ８８は、第２モータ１２、第２モータ１２の回転駆動をシリンダ２４及びノズル部材３０に伝達するシリンダシャフト２６、シリンダシャフト２６を第２モータ１２に固定させ、第１駆動部１１と連結する移動体２２、前記シリンダシャフト２６を覆い、前記移動体２２の内側面に位置するシリンダキャップ２５、及び前記シリンダキャップ２５と前記移動体２２内側との間の漏水を防止するシーリング部材２７を有する。前記移動体２２の外側面には、シリンダ内部に洗浄水を供給する洗浄水流入部２１が位置する。前記洗浄水流入部２１を介して流入された洗浄水は、前記シリンダキャップ２５内部にある流路溝に沿って流れた後、シリンダ２４内部に供給されてノズルチップＴ１、Ｔ２、Ｔ３を介して温水洗浄装置９０外部に噴射、吐出される。前記シリンダシャフト２６は、前記ノズル部材３０の前後運動方向を回転軸として左右に回転可能である。前記左右回転駆動は回転ガイド部２８に沿って行われる。
【００５３】
図６は、本発明の技術的思想の一実施形態に係る回転型ノズルアセンブリ８８のシーリング部材２７の平面図及びその断面Ｄ−Ｄ’を示す。前記シーリング部材２７は、前記シリンダキャップ２５の外側面を覆う複数個の環状リングタイプシーリング部材であってもよい。前記シーリング部材２７は、Ｘ型断面を有するリングタイプであってもよい。
【００５４】
図１４は、回転型ノズルアセンブリの給水供給フローチャートであり、図１５は、ノズルアセンブリの回転制御フローチャートである。図１４及び図１５に示すように、本発明の技術的思想の一実施形態に係る温水洗浄装置９０の回転型ノズルアセンブリ８８に対する回転制御方法は、（ａ）温水洗浄装置９０の洗浄ボタン（図示せず）を介して洗浄水の噴射水流モードを選択する段階と、（ｂ）前記（ａ）段階により噴射水流モードが選択された場合、そのモードに該当するノズルチップＴ１、Ｔ２、Ｔ３が上方向に向かうようにノズル部材３０を左右方向に所定角度回転させる段階と、（ｃ）前記（ｂ）段階により左右方向に回転されたノズル部材３０を、第１駆動部１１の駆動を介して前進方向に直線移動させる段階、そして（ｄ）流量が調節された洗浄水を前記ノズル部材３０の先端側に供給して、ノズル部材３０の先端側に設けられるノズルチップＴ１、Ｔ２、Ｔ３及び吐出口ｔ１、ｔ２、ｔ３を介して肛門や局部とその周辺部に、選択された噴射水流で洗浄水を噴射する段階と、を含む。
【００５５】
これを具体的に説明すると、温水洗浄装置９０を用いて肛門や局部及びその周辺部に対する洗浄を行うとき、まず使用者が温水洗浄装置の洗浄ボタンを介して洗浄水の噴射水流モードを選択する。
【００５６】
このとき、使用者が基準モードを選択すると、選択された基準モードに応じて基本的にシリンダ部２０の先端側においてはノズルチップＴ３の直線吐出口ｔ３が上方向に向かうことになる。
【００５７】
その後、第１駆動部１１を介して前記シリンダ２４及びこれに結合されたシリンダカバー２３を洗浄位置に直線移動させた後、洗浄水の流量を調節しながら洗浄水を供給することで、前記洗浄水が洗浄水流入部２１からシリンダ２４に一定量供給される。
【００５８】
そこで、前記洗浄水は、ノズルチップＴ３に設けられた直線吐出口ｔ３を介して直線状の水流で出水がなされながらシリンダカバー２３に設けられる噴射口Ｔ１３を介して使用者の肛門や局部とその周辺部に噴射され、肛門や局部とその周辺部の洗浄がなされる。
【００５９】
一方、使用者が第１モードを選択すると、前記選択された第１モードにより第２駆動部１０Ａの駆動がなされ、前記第２駆動部１０Ａの駆動により回転ガイド部２８及びこれに結合されるシリンダシャフト２６が回転しながら、前記シリンダシャフト２６が結合されたシリンダ２４及びこれに結合されるシリンダカバー２３の回転が行われる。
【００６０】
このとき、前記シリンダ２４及びこれに結合されたシリンダカバー２３は、前記第２駆動部１０Ａの駆動量により設定された角度、すなわち前記基準モードを基準として１４２度の角度で回転することになって、これにより、前記シリンダ２４の先端側に設けられたノズルチップＴ１の円形吐出口ｔ１が上方向に向かうことになる。
【００６１】
その後、第１駆動部１１を介して前記シリンダ２４及びこれに結合されたシリンダカバー２３を洗浄位置に直線移動させた後、洗浄水の流量を調節しながら洗浄水を供給することで、前記洗浄水がシリンダ２４に一定量供給される。
【００６２】
そこで、前記洗浄水は、ノズルチップＴ１に設けられた円形吐出口ｔ１を介して直水状の水流で出水しながらシリンダカバー２３に設けられた噴射口Ｔ１１を介して使用者の肛門や局部とその周辺部に噴射され、肛門や局部とその周辺部の洗浄が行われる。
【００６３】
一方、使用者が第２モードを選択すると、前記選択された第２モードにより第２駆動部１０Ａの駆動が行われ、前記第２駆動部１０Ａの駆動により回転ガイド部２８に結合されたシリンダシャフト２６が回転しながら、前記シリンダシャフト２６が結合されたシリンダ２４及びこれに結合されるシリンダカバー２３の回転が行われる。
【００６４】
このとき、前記シリンダ２４及びこれに結合されたシリンダカバー２３は、前記第２駆動部１０Ａの駆動量で設定された角度、すなわち前記基準モードを基準として２６２度の角度で回転し、これにより前記シリンダ２４の先端側に設けられたノズルチップＴ２の円形または角形の吐出口ｔ２が上方向に向かうことになる
【００６５】
その後、第１駆動部１１を介して前記シリンダ２４及びこれに結合されたシリンダカバー２３を洗浄位置に直線移動させた後、洗浄水の流量を調節しながら洗浄水を供給することで、前記洗浄水がシリンダ２４に一定量供給される。
【００６６】
そこで、前記洗浄水はノズルチップＴ２に設けられた複数をなす円形または角形の吐出口ｔ２を介してシュガー状の水流で出水が行われながらシリンダカバー２３に設けられた噴射口Ｔ１２を介して使用者の肛門や局部とその周辺部に噴射され、肛門や局部とその周辺部の洗浄が行われる。
【００６７】
このように、本発明の実施形態に係る温水洗浄装置の回転型ノズル装置に含まれるノズル部材３０に、互いに異なる吐出口ｔ１、ｔ２、ｔ３を有する複数のノズルチップＴ１、Ｔ２、Ｔ３を形成した後、これを回転可能に構成すると、前記ノズル部材３０を前進方向に直線移動させた状態で、直線移動する方向を軸に前記ノズル部材３０を左側または右側方向に自由に回転（例えば、３６０度）させ、肛門や局部とその周辺部に対する洗浄水の噴射による水流形態を多様に設定できるとともに、前記ノズル部材３０の左右方向回転からノズルガイドの先端側に設定固定されるノズル洗浄部１０Ｄを介して前記ノズル部材３０に対する洗浄時のその洗浄が、従来直線移動だけするノズル部材よりもさらに清潔に行うことができる。
【００６８】
すなわち、前記ノズル部材３０を回転しながら、前記ノズル部材３０にノズル洗浄部１０Ｄを介して洗浄水を噴射できるので、前記ノズル部材３０の外周面全体に対する洗浄が可能である。直線移動だけするノズル部材の場合にはノズル洗浄部１０Ｄから噴射する洗浄水がいずれか片面に対してのみ洗浄が可能であるため、回転型ノズル部材３０の外部面に対する洗浄はさらに清潔な状態を維持することができる。
【００６９】
以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７０】
１０  操作部
１０Ａ  第２駆動部
１０Ｂ  第１モータ
１０Ｃ  滑走台
１０Ｄ  ノズル洗浄部
１１  第１駆動部
１２  第２モータ
２０  シリンダ部
２１  洗浄水流入部
２２  移動体
２３  シリンダカバー
２４  シリンダ
２５  シリンダキャップ
２６  シリンダシャフト
２７  シーリング部材
２８  回転ガイド部
２９  歯車部
３０  ノズル部材
Ｔ１、Ｔ２、Ｔ３  ノズルチップ
ｔ１、ｔ２、ｔ３  吐出口
Ｔ１１、Ｔ１２、Ｔ１３  噴射口
８２  制御部
８８  ノズルアセンブリ
９０  温水洗浄装置
【図１】
0006499113.tif 000002
【図２】
0006499113.tif 000003
【図３】
0006499113.tif 000004
【図４】
0006499113.tif 000005
【図５】
0006499113.tif 000006
【図６】
0006499113.tif 000007
【図７】
0006499113.tif 000008
【図８】
0006499113.tif 000009
【図９】
0006499113.tif 000010
【図１０】
0006499113.tif 000011
【図１１】
0006499113.tif 000012
【図１２】
0006499113.tif 000013
【図１３】
0006499113.tif 000014
【図１４】
0006499113.tif 000015
【図１５】
0006499113.tif 000016